(57)【要約】【課題】被検者の複数箇所から検出された呼吸音の各特徴を把握させ易い呼吸音検出装置の提供を目的とする。【解決手段】本発明の呼吸音検出装置は、被検者の複数箇所に取り付けられ、前記複数箇所から呼吸音を検出する検出部と、前記検出部により前記複数箇所から検出された呼吸音の各特徴を特定する特定部と、前記被検者のモデルを表示する表示部における前記モデルの前記複数箇所に対応する各位置に、前記各特徴に応じて色の濃淡が異なるように設定した標章を表示させる制御部と、を備える。【選択図】図３
2020116301.tif 000002
【特許請求の範囲】
【請求項１】
被検者の複数箇所に取り付けられ、前記複数箇所から呼吸音を検出する検出部と、
前記検出部により前記複数箇所から検出された呼吸音の各特徴を特定する特定部と、
前記被検者のモデルを表示する表示部における前記モデルの前記複数箇所に対応する各位置に、前記各特徴に応じて色の濃淡が異なるように設定した標章を表示させる制御部と、
を備える呼吸音検出装置。
【請求項２】
被検者の複数箇所に取り付けられ、前記複数箇所から呼吸音を検出する検出部と、
前記検出部により前記複数箇所から検出された呼吸音の各特徴を特定する特定部と、
前記被検者のモデルを表示する表示部における前記モデルの前記複数箇所に対応する各位置に、前記各特徴から得られる緊急度に応じて設定した標章を表示させる制御部と、
を備える呼吸音検出装置。
【請求項３】
前記標章は、文字、図形、記号若しくは前記文字、前記図形及び前記記号の少なくとも２つ以上の結合、又は、色彩及び模様の少なくとも１つが付された、前記文字、前記図形、前記記号若しくは前記結合とされている、
請求項２に記載の呼吸音検出装置。
【請求項４】
前記特徴は、一呼吸周期の音圧スペクトルとされている、
請求項１〜３のいずれか１項に記載の呼吸音検出装置。
【請求項５】
前記標章は、前記複数箇所ごとに異なる基準で変更するように設定されている、
請求項１〜４のいずれか１項に記載の呼吸音検出装置。
【請求項６】
前記異なる基準は、測定された前記被検者の呼吸音の測定結果を用いて設定される、
請求項５に記載の呼吸音検出装置。
【請求項７】
前記制御部は、前記各特徴から得られる緊急度に基づいて呼吸音に異常があると判断した場合、前記表示部に異常を報知する標章を表示させる、
請求項１〜６のいずれか１項に記載の呼吸音検出装置。
【請求項８】
被検者のモデルを表示する表示部、
を備える請求項１〜７のいずれか１項に記載の呼吸音検出装置。
【請求項９】
コンピュータを、
被検者の複数箇所に取り付けられ、前記複数箇所から呼吸音を検出する検出手段、
前記検出手段により前記複数箇所から検出された呼吸音の各特徴を特定する特定手段、
及び、
前記被検者のモデルを表示する表示部における前記モデルの前記複数箇所に対応する各位置に、前記各特徴に応じて色の濃淡が異なるように設定した標章を表示させる制御手段、
として機能させ、呼吸音を検出するためのプログラム。
【請求項１０】
コンピュータを、
被検者の複数箇所に取り付けられ、前記複数箇所から呼吸音を検出する検出手段、
前記検出手段により前記複数箇所から検出された呼吸音の各特徴を特定する特定手段、
及び、
前記被検者のモデルを表示する表示部における前記モデルの前記複数箇所に対応する各位置に、前記各特徴から得られる緊急度に応じて設定した標章を表示させる制御手段、
として機能させ、呼吸音を検出するためのプログラム。
【発明の詳細な説明】
【技術分野】
【０００１】
本発明は、呼吸音検出装置及びプログラムに関する。
【背景技術】
【０００２】
例えば、特許文献１には、周波数変換手段と、３次元画像処理手段と、パラメータ設定手段と、表示自動変更手段とを備えたビジュアル聴診器が開示されている。そして、各手段は、以下のような機能を有する。すなわち、前記周波数変換手段は、呼吸音及び心音を含む人体から発生する可聴音がデジタルデータに変換された可聴音デジタルデータを入力し、複数の周波数毎の振幅データに変換する。前記３次元画像処理手段は、複数の周波数毎の振幅データに変換された可聴音デジタルデータを、振幅、周波数及び時間に基づいて３次元画像として実時間で表示させるための画像処理を行う。前記パラメータ設定手段は、前記周波数変換手段及び前記３次元画像処理手段に対する各種パラメータを設定する。前記表示自動変更手段は、前記３次元画像処理手段によって画像処理される３次元画像を予め定めた手順に従って自動的に変更する。
【先行技術文献】
【特許文献】
【０００３】
【特許文献１】特開２００７−１３５６１１号公報
【発明の概要】
【発明が解決しようとする課題】
【０００４】
特許文献１に開示されている前記ビジュアル聴診器は、複数箇所からの音を集音するが、表示手段には複数箇所のうちの一箇所のみの音の情報しか表示しない。そのため、使用者が前記ビジュアル聴診器を使用した場合、複数箇所からの音の表示に基づいて音の特徴を相対的に把握し難い。
【０００５】
本発明が解決しようとする課題としては、被検者の複数箇所から検出された呼吸音の各特徴を把握させ易い呼吸音検出装置を提供することが一例として挙げられる。
【課題を解決するための手段】
【０００６】
請求項１に記載の発明は、
被検者の複数箇所に取り付けられ、前記複数箇所から呼吸音を検出する検出部と、
前記検出部により前記複数箇所から検出された呼吸音の各特徴を特定する特定部と、
前記被検者のモデルを表示する表示部における前記モデルの前記複数箇所に対応する各位置に、前記各特徴に応じて色の濃淡が異なるように設定した標章を表示させる制御部と、
を備える呼吸音検出装置である。
【０００７】
請求項２に記載の発明は、
被検者の複数箇所に取り付けられ、前記複数箇所から呼吸音を検出する検出部と、
前記検出部により前記複数箇所から検出された呼吸音の各特徴を特定する特定部と、
前記被検者のモデルを表示する表示部における前記モデルの前記複数箇所に対応する各位置に、前記各特徴から得られる緊急度に応じて設定した標章を表示させる制御部と、
を備える呼吸音検出装置である。
【０００８】
請求項９に記載の発明は、
コンピュータを、
被検者の複数箇所に取り付けられ、前記複数箇所から呼吸音を検出する検出手段、
前記検出部により前記複数箇所から検出された呼吸音の各特徴を特定する特定手段、
及び、
前記被検者のモデルを表示する表示部における前記モデルの前記複数箇所に対応する各位置に、前記各特徴に応じて色の濃淡が異なるように設定した標章を表示させる制御手段、
として機能させ、呼吸音を検出するためのプログラムである。
【０００９】
請求項１０に記載の発明は、
コンピュータを、
被検者の複数箇所に取り付けられ、前記複数箇所から呼吸音を検出する検出手段、
前記検出部により前記複数箇所から検出された呼吸音の各特徴を特定する特定手段、
及び、
前記被検者のモデルを表示する表示部における前記モデルの前記複数箇所に対応する各位置に、前記各特徴から得られる緊急度に応じて設定した標章を表示させる制御手段、
として機能させ、呼吸音を検出するためのプログラムである。
【図面の簡単な説明】
【００１０】
【図１】第１実施形態の呼吸音検出装置のシステム構成図である。
【図２】第１実施形態の呼吸音検出装置による呼吸音検出動作を説明するための図である。
【図３】第１実施形態の呼吸音検出装置による呼吸音検出動作とその結果の表示例とを示す図である。
【図４】第２実施形態の呼吸音検出装置による呼吸音検出動作とその結果の表示例とを示す図である。
【図５】第３実施形態の呼吸音検出装置による呼吸音検出動作とその結果の表示例とを示す図である。
【図６】第４実施形態の呼吸音検出装置による呼吸音検出動作とその結果の表示例とを示す図である。
【図７】第５実施形態の呼吸音検出装置による呼吸音検出動作とその結果の表示例とを示す図である。
【図８】第６実施形態の呼吸音検出装置による呼吸音検出動作とその結果の表示例とを示す図である。
【図９】第１変形例の呼吸音検出装置による呼吸音検出結果の表示例を示す図である。
【図１０】第２変形例の呼吸音検出装置による呼吸音検出結果の表示例を示す図である。
【図１１】第３変形例の呼吸音検出装置による呼吸音検出結果の表示例を示す図である。
【発明を実施するための形態】
【００１１】
≪概要≫
以下、本発明の第１〜第６実施形態について、それぞれ図面を参照しながら説明する。次いで、各実施形態の変形例について説明する。なお、参照するすべての図面では同様の機能を有する構成要素に同様の符号を付し、明細書では適宜説明を省略する。
【００１２】
≪第１実施形態≫
以下、第１実施形態について図面を参照しながら説明する。まず、本実施形態の呼吸音検出装置１０（図１及び図３参照）の機能及び構成について説明する。次いで、本実施形態の呼吸音検出装置１０による呼吸音検出動作について説明する。次いで、本実施形態の効果について説明する。
【００１３】
＜第１実施形態の呼吸音検出装置の機能及び構成＞
図１は、本実施形態の呼吸音検出装置１０（コンピュータの一例）のシステム構成図である。図２は、本実施形態の呼吸音検出装置１０による呼吸音検出動作を説明するための図である。図３は、本実施形態の呼吸音検出装置１０による呼吸音検出動作とその結果の表示例とを示す図である。
本実施形態の呼吸音検出装置１０は、被検者ＨＢの複数箇所から呼吸音を検出し、当該複数箇所から検出した呼吸音の各特徴を特定し、被検者ＨＢのモデルＭＬの前記複数箇所に対応する各位置に、前記各特徴に応じて色の濃淡が異なるように設定した標章ＭＫを表示する機能を有する。本実施形態の呼吸音検出装置１０は、図１に示されるように、信号取得部２０（検出部及び検出手段の一例）と、制御部３０と、表示部４０とを備えている。
【００１４】
〔信号取得部〕
信号取得部２０は、被検者ＨＢの複数箇所に取り付けられ、前記複数箇所から呼吸音を検出する機能を有する。信号取得部２０は、一例として５個の信号取得部２０Ａ〜２０Ｅを有している。５個の信号取得部２０Ａ〜２０Ｅは、図３に示されるように、それぞれ、被検者ＨＢの胴体における、喉部下側、胸部右側、胸部左側、腹部右側及び腹部左側に、すなわち、被検者ＨＢの複数箇所に取り付けられるようになっている。
そして、信号取得部２０（５個の信号取得部２０Ａ〜２０Ｅ）は、取り付けられた被検者ＨＢの胴体の各箇所からの生体音を、時間に対する振幅（強度）として検出するようになっている（図２及び図３参照）。また、図１に示されるように、信号取得部２０（５個の信号取得部２０Ａ〜２０Ｅ）は、検出した被検者ＨＢの胴体の各箇所からの生体音（胴体に対する取付位置に対応した生体音）を、生体信号として、後述する制御部３０の信号解析部３２に送信するようになっている。
【００１５】
ここで、信号取得部２０（５個の信号取得部２０Ａ〜２０Ｅ）が検出する各生体音は、図２に示されるように、通常（各生体音が正常な状態の場合）、振幅が大きいピーク（吸気極大値Ａ）と、振幅が小さいピーク（呼気極大値Ｂ）とが、時間に対して入れ違いで検出される音圧スペクトルとなっている。以下の説明では、ある吸気極大値Ａの検出時から次の吸気極大値Ａの検出時までの時間（又はある呼気極大値Ｂの検出時から次の呼気極大値Ｂの検出時までの時間）を周期（一呼吸周期）という。
【００１６】
〔制御部〕
制御部３０は、信号取得部２０と、表示部４０とを制御する機能を有する。制御部３０は、図１に示されるように、信号解析部３２と、呼気吸気判定部３４と、異常呼吸音判定部３６と、データ比較部３８と、記録部３９とを有している。記録部３９には、本実施形態の呼吸音検出装置１０に呼吸音検出動作を行わせるためのプログラムＣＰが収容されている。制御部３０の具体的な機能については、後述する呼吸音検出装置１０による呼吸音動作の説明の中で説明する。なお、本実施形態の制御部３０は、特定部、特定手段及び制御手段の一例でもある。
【００１７】
〔表示部〕
表示部４０は、被検者ＨＢのモデルＭＬを表示する機能と、モデルＭＬにおける、被検者ＨＢの複数箇所に取り付けられた信号取得部２０Ａ〜２０Ｅに対応する各位置に、制御部３０が特定した呼吸音の各特徴に応じて色の濃淡が異なるように制御部３０が設定した各標章ＭＫを表示する機能を有する。
【００１８】
以上が、本実施形態の呼吸音検出装置１０の機能及び構成についての説明である。
【００１９】
＜第１実施形態の呼吸音検出装置による呼吸音検出動作＞
次に、本実施形態の呼吸音検出装置１０による呼吸音検出動作について図１〜図３を参照しながら説明する。
【００２０】
まず、使用者（医師等の診断者等）は、被検者ＨＢの複数箇所に信号取得部２０Ａ〜２０Ｅを取り付ける。また、使用者は、呼吸音検出装置１０の主電源（図示省略）をオンにする。
【００２１】
次いで、使用者が呼吸音検出装置１０の検出開始スイッチ（図示省略）をオンにすると、制御部３０は記録部３９に収容されているプログラムＣＰに従い、呼吸音検出動作を開始する。具体的には、以下のとおりである。
【００２２】
被検者ＨＢの複数箇所に取り付けられた信号取得部２０（５個の信号取得部２０Ａ〜２０Ｅ）は、各箇所からの生体音を検出し、各箇所からの生体音を生体信号として信号解析部３２に送信する（図１参照）。ここで、図３における５つのグラフは、それぞれ、５個の信号取得部２０Ａ〜２０Ｅで検出された生体音の音圧スペクトルである。
【００２３】
次いで、信号解析部３２は、呼気吸気判定部３４を作動させて各生体信号の周期を判定する。また、信号解析部３２は、異常呼吸音判定部３６を作動させて、呼気吸気判定部３４で判定した各周期の各生体信号に異常呼吸音が含まれているか否か（例えば、波形に所定の特徴が含まれているか否か）の判定を行う。この場合に信号解析部３２が肯定判断をすると（異常呼吸音が含まれていると判断すると）、信号解析部３２は各箇所における最大音圧レベルを算出する。これに対して、信号解析部３２が否定判断をすると、信号解析部３２は各箇所における平均音圧レベルを算出する。
以上により、被検者ＨＢの複数箇所に取り付けられた信号取得部２０（５個の信号取得部２０Ａ〜２０Ｅ）から検出された各呼吸音の各特徴（各呼吸音の一呼吸周期の音圧スペクトル）が特定される。
【００２４】
次いで、データ比較部３８は、信号解析部３２により算出された各呼吸音の各特徴から各箇所の緊急度を判断する。緊急度の技術的意義については後述する。
【００２５】
次いで、表示部４０は、図３に示されるように、制御部３０が各部を用いて算出、判定した結果（制御部３０が特定した各特徴）に基づいて、被検者ＨＢのモデルＭＬにおける信号取得部２０Ａ〜２０Ｅが取り付けられている複数箇所に対応する各位置に、各特徴に応じて色の濃淡が異なるように設定した標章ＭＫを表示する。ここで、図３における各標章ＭＫは、一例として、形状（図形）が円で、同じ色で濃淡の異なるものとされ、すなわち、図形と色彩との結合とされ、その色が濃いほど、音圧レベルが高いことを意味する。
【００２６】
そして、表示部４０に図３の各標章ＭＫが表示されると、本実施形態の呼吸音検出装置１０による呼吸音検出動作が終了する。
【００２７】
以上が、本実施形態の呼吸音検出装置１０による呼吸音検出動作についての説明である。
【００２８】
＜第１実施形態の効果＞
本実施形態の呼吸音検出装置１０は、前述のとおり、被検者ＨＢのモデルＭＬにおける信号取得部２０Ａ〜２０Ｅが取り付けられている複数箇所に対応する各位置に、各特徴に応じて色の濃淡が異なるように設定した標章ＭＫを表示する（図３参照）。例えば、図３の場合、使用者は、表示部４０のモデルＭＬの各位置に付された標章ＭＫから、右肺（胸部右側）の音圧レベルが左肺（胸部左側）の音圧レベルよりも高いこと、別言すると、両肺の音圧レベルに左右差があることを簡単に把握することができる。
したがって、表示部４０を見た使用者は、被検者ＨＢの複数箇所から検出された呼吸音の各特徴を把握し易い。別の見方をすると、本実施形態の呼吸音検出装置１０は、被検者ＨＢの複数箇所から検出された呼吸音の各特徴を把握させ易い。
【００２９】
以上が、本実施形態の効果についての説明である。また、以上が、第１実施形態についての説明である。
【００３０】
≪第２実施形態≫
次に、第２実施形態について図４を参照しながら説明する。本実施形態については、第１実施形態と異なる部分についてのみ説明する。なお、本実施形態の説明において、第１実施形態の構成要素と同じ構成要素を用いる場合、同じ名称、同じ符号を用いて説明する。
【００３１】
図４は、本実施形態の呼吸音検出装置１０Ａによる呼吸音検出動作を説明するための図である。本実施形態の呼吸音検出装置１０Ａは、第１実施形態の場合に対して、表示部４０での表示形式のみが異なる。具体的には、本実施形態の場合、表示部４０は、被検者ＨＢのモデルＭＬにおける信号取得部２０Ａ〜２０Ｅが取り付けられている複数箇所に対応する各位置に、各特徴に応じて色の濃淡が異なるように設定しつつ、音圧レベルの値（文字の一例）を付した標章ＭＫを表示する。すなわち、本実施形態の標章ＭＫは、文字、図形及び色彩の結合とされている。
なお、本実施形態の標章ＭＫのうちの音圧レベルの値（文字）については、例えば、各箇所の図形の付近（上側、横等）に表示してもよい。また、ポップアップ方式で表示する等でもよい。
【００３２】
本実施形態の呼吸音検出装置１０Ａの場合、使用者は、表示部４０のモデルＭＬの各位置に付された標章ＭＫの音圧レベルの値から、比較的色の濃淡が同等の右肺（胸部右側）の音圧レベルと、腹部右側の音圧レベルとの大小差を簡単に把握することができる。
したがって、本実施形態によれば、第１実施形態の効果を奏しつつ、更に、各箇所の音圧レベルの値を使用者に把握させ易い。
【００３３】
以上が、第２実施形態についての説明である。
【００３４】
≪第３実施形態≫
次に、第３実施形態について図５を参照しながら説明する。本実施形態については、第１実施形態と異なる部分についてのみ説明する。なお、本実施形態の説明において、第１実施形態の構成要素と同じ構成要素を用いる場合、同じ名称、同じ符号を用いて説明する。
【００３５】
図５は、本実施形態の呼吸音検出装置１０Ｂによる呼吸音検出動作を説明するための図である。本実施形態の呼吸音検出装置１０Ｂは、第１実施形態の場合に対して、表示部４０での表示形式のみが異なる。具体的には、本実施形態の場合、表示部４０は、被検者ＨＢのモデルＭＬにおける信号取得部２０Ａ〜２０Ｅが取り付けられている複数箇所に対応する各位置に、異常呼吸音の有無が認識されるような標章ＭＫを表示する。図５では、例えば、正常呼吸音の場合に円にベタの色彩が付された標章ＭＫを表示し、異常呼吸音の場合には円にハッチングが付された標章ＭＫを表示する。なお、異常呼吸音とは、制御部３０が特定した各特徴から得られる緊急度を要する呼吸音を意味する。また、本実施形態の標章ＭＫは、図形及び色彩又は模様の結合とされている。また、本実施形態における異常呼吸音及び正常呼吸音を表示する標章ＭＫはそれぞれ一例であり、これらの差異が表示できれば本実施形態の場合と異なる標章ＭＫであってもよい。
【００３６】
本実施形態の呼吸音検出装置１０Ｂの場合、使用者は、表示部４０のモデルＭＬの各位置に付された標章ＭＫから、右肺（胸部右側）及び腹部右側に異常呼吸音が検出されていることを簡単に把握することができる。
したがって、表示部４０を見た使用者は、被検者ＨＢの複数箇所から検出された呼吸音の各特徴から具体的な異常個所を把握し易い。別の見方をすると、本実施形態の呼吸音検出装置１０Ｂは、被検者ＨＢの複数箇所から検出された呼吸音の各特徴から異常個所を把握させ易い。
【００３７】
以上が、第３実施形態についての説明である。
【００３８】
≪第４実施形態≫
次に、第４実施形態について図６を参照しながら説明する。本実施形態については、第１及び第３実施形態と異なる部分についてのみ説明する。なお、本実施形態の説明において、第１及び第３実施形態の構成要素と同じ構成要素を用いる場合、同じ名称、同じ符号を用いて説明する。
【００３９】
図６は、本実施形態の呼吸音検出装置１０Ｃによる呼吸音検出動作を説明するための図である。本実施形態の呼吸音検出装置１０Ｃは、第３実施形態の場合に対して、表示部４０での表示形式のみが異なる。具体的には、本実施形態の場合、表示部４０は、被検者ＨＢのモデルＭＬにおける信号取得部２０Ａ〜２０Ｅが取り付けられている複数箇所に対応する各位置に、異常呼吸音の有無が認識されるような標章ＭＫを表示したうえで、異常呼吸音の種類、状態等についての情報を、ポップアップ等を用いて常時表示する。なお、この場合のポップアップ等は、例えば、常時表示するのではなく、必要なときのみに表示するようにしてもよい。
【００４０】
本実施形態の呼吸音検出装置１０Ｃの場合、使用者は、表示部４０のモデルＭＬの各位置に付された標章ＭＫから、右肺（胸部右側）及び腹部右側に異常呼吸音が検出されていることを簡単に把握しつつ、ポップアップ等から異常呼吸音の種類、状態等についての情報（当該情報も標章ＭＫの一部）を簡単に把握することができる。
したがって、表示部４０を見た使用者は、被検者ＨＢの複数箇所から検出された呼吸音の各特徴から具体的な異常個所及びその詳細情報を把握し易い。別の見方をすると、本実施形態の呼吸音検出装置１０Ｃは、被検者ＨＢの複数箇所から検出された呼吸音の各特徴から異常個所及びその詳細情報を把握させ易い。
【００４１】
以上が、第４実施形態についての説明である。
【００４２】
≪第５実施形態≫
次に、第５実施形態について図７を参照しながら説明する。本実施形態については、第１及び第３実施形態と異なる部分についてのみ説明する。なお、本実施形態の説明において、第１及び第３実施形態の構成要素と同じ構成要素を用いる場合、同じ名称、同じ符号を用いて説明する。
【００４３】
図７は、本実施形態の呼吸音検出装置１０Ｄによる呼吸音検出動作を説明するための図である。本実施形態の呼吸音検出装置１０Ｄは、第３実施形態の場合に対して、表示部４０での表示形式のみが異なる。具体的には、本実施形態の場合、表示部４０は、被検者ＨＢのモデルＭＬにおける信号取得部２０Ａ〜２０Ｅが取り付けられている複数箇所に対応する各位置のうち、定められた期間以上の無呼吸状態が認識された箇所に標章ＭＫを表示したうえで、緊急度が高い（被検者ＨＢの危険性が高い、すなわち、異常である）ことを報知するための標章ＭＫ１を表示する。ここで、定められた期間とは、一例として１０秒に設定されている。なお、定められた期間は、１０秒未満又は１０秒以上であってもよい。
【００４４】
本実施形態の呼吸音検出装置１０Ｄの場合、使用者は、表示部４０のモデルＭＬにおける異常位置に付された標章ＭＫ１から、緊急度が高いことを把握することができる。
したがって、表示部４０を見た使用者は、被検者ＨＢの複数箇所から検出された呼吸音の各特徴から緊急度の高い箇所を把握し易い。別の見方をすると、本実施形態の呼吸音検出装置１０Ｄは、被検者ＨＢの複数箇所から検出された呼吸音の各特徴から緊急度の高い箇所を把握させ易い。
【００４５】
以上が、第５実施形態についての説明である。
【００４６】
≪第６実施形態≫
次に、第６実施形態について図８を参照しながら説明する。本実施形態については、第１、第３及び第５実施形態と異なる部分についてのみ説明する。なお、本実施形態の説明において、第１、第３及び第５実施形態の構成要素と同じ構成要素を用いる場合、同じ名称、同じ符号を用いて説明する。
【００４７】
図８は、本実施形態の呼吸音検出装置１０Ｅによる呼吸音検出動作を説明するための図である。本実施形態の呼吸音検出装置１０Ｅは、第３実施形態の場合に対して、表示部４０での表示形式のみが異なる。具体的には、本実施形態の場合、表示部４０は、被検者ＨＢのモデルＭＬにおける信号取得部２０Ａ〜２０Ｅが取り付けられている複数箇所に対応する各位置のうち、定められた呼吸回数（一例として３回）以上の異常呼吸音状態が認識された箇所に標章ＭＫを表示したうえで、緊急度が中くらい（被検者ＨＢが危険な状態になり得る状態である、すなわち、異常予備状態である）ことを報知するための標章ＭＫ２を表示する。また、表示部４０は、標章ＭＫ１を表示する場合よりも更に多い定められた呼吸回数（５回）以上の異常呼吸音状態が認識された箇所に標章ＭＫを表示したうえで、緊急度が高い（被検者ＨＢが危険な状態である、すなわち、異常状態である）ことを報知するための標章ＭＫ１を表示する。
なお、本実施形態では前述のような標章ＭＫ、ＭＫ１、ＭＫ２を用いて表示するとしたが、異常呼吸音状態を把握させることができれば、異なる標章ＭＫを用いてもよい。例えば、緊急度によって標章ＭＫの色を変えてもよい。また、標章ＭＫの中に標章ＭＫ１、ＭＫ２等を重ねて表示してもよい。
【００４８】
本実施形態の呼吸音検出装置１０Ｅの場合、使用者は、表示部４０のモデルＭＬにおける異常位置に付された標章ＭＫ１、ＭＫ２から、緊急度の程度を把握することができる。
したがって、表示部４０を見た使用者は、被検者ＨＢの複数箇所から検出された呼吸音の各特徴から緊急度の高い箇所とその程度を把握し易い。別の見方をすると、本実施形態の呼吸音検出装置１０Ｅは、被検者ＨＢの複数箇所から検出された呼吸音の各特徴から緊急度の高い箇所とその程度を把握させ易い。
【００４９】
以上が、第６実施形態についての説明である。
【００５０】
以上のとおり、本発明について第１〜第６実施形態を例示してそれぞれ別個に説明した。しかしながら、本発明は、これらの実施形態に限定されるものではない。例えば、下記のような形態（変形例）も、本発明の技術的範囲に属する。
【００５１】
例えば、図９に示される第１変形例の呼吸音検出装置１０Ｆのように、各箇所の詳細情報についてポップアップ等を用いて表示してもよい。第１変形例は、第３又は第４実施形態（図５及び図６参照）の変形例といえる。
【００５２】
また、図１０に示される第２変形例の呼吸音検出装置１０Ｇのように、各箇所の詳細情報についてポップアップ等を用いつつ、緊急度を表示する標章ＭＫ１も表示してもよい。第２変形例は、第４実施形態（図６参照）と第６実施形態（図８参照）とを組み合せた形態（変形例）といえる。
【００５３】
また、図１１に示される第３変形例の呼吸音検出装置１０Ｈのように、例えば、第１実施形態（図３参照）のモデルＭＬの表示を、検査時間の経過（図１１では、時間ｔ１→ｔ２→ｔ３→ｔ４→ｔ５→ｔ６→ｔ７:ｔの下付き数字が大きいほど検査時間が経過していることを意味する。）に沿って連続的に表示してもよい。本変形例によれば、使用者は、被検者ＨＢの状態を連続的に観察できることで、その状態がどのように変化しているか容易に把握することができる点で有効である。
【００５４】
なお、ここでは、各実施形態（図１〜図８参照）の変形例として第１〜第３変形例（図９〜図１１）を例示して説明したが、各変形例を更に変形させた形態も本発明の技術的範囲に属する。例えば、第３変形例の場合に、第１実施形態のモデルＭＬに換えて他の実施形態又は他の変形例のモデルＭＬを連続的に表示してもよい。また、各実施形態及び各変形例の１つに他の実施形態等の表示方法を組み合せてもよい。
【００５５】
また、各実施形態では、標章ＭＫについてそれぞれ各実施形態の場合の例示として説明した。しかしながら、標章ＭＫは、文字、図形、記号若しくは前記文字、前記図形及び前記記号の少なくとも２つ以上の結合、又は、色彩及び模様の少なくとも１つが付された、前記文字、前記図形、前記記号若しくは前記結合であればよい。
【００５６】
また、各実施形態では、標章ＭＫは、記録部３９に収容されているプログラムＣＰに従い設定されているとした。この場合、各箇所に表示する標章ＭＫは、複数箇所ごとに異なる基準で変更するように設定されていればよい。さらに、この場合、異なる基準は、測定された被検者ＨＢの呼吸音の測定結果を用いて設定されるようにしてもよい。具体的には、以下のようなに設定してもよい。すなわち、個人や部位ごとに呼吸音レベルの基準値設定を変更してもよい。また、緊急度の条件は、前述した実施形態と異なる条件でもよい。例えば、緊急度の条件は、呼吸音のレベルが徐々に落ちている場合や一定以上レベルが下がった（又は上がった）場合としてもよい。
【００５７】
また、各実施形態の説明では、呼吸音検出装置１０、１０Ａ等は、表示部４０を備えているとしたが、表示部４０は必須の構成要件ではない。
【００５８】
また、各実施形態の説明では、各呼吸音の特徴は、一例として、各呼吸音の一呼吸周期の音圧スペクトルとした。しかしながら、少なくとも一呼吸周期の音圧スペクトルを含んでいれば、各呼吸音の特徴は一呼吸周期の音圧スペクトルでなくてもよい。例えば、各呼吸音の特徴は複数回の呼吸周期の音圧スペクトルであってもよい。そして、この変形例では、正常な呼吸音のみで構成される複数回の呼吸周期の音圧スペクトルを正常呼吸音の特徴とし、１回の呼吸周期のみに異常状態（例えば無呼吸状態）を示す複数回の呼吸周期の音圧スペクトルを異常呼吸音の特徴としてもよい。また、各呼吸音の特徴を複数回の呼吸周期の音圧スペクトルとすることで、複数回の呼吸周期のうち異常呼吸音が検出される回数により緊急度のレベルを分けるようにしてもよい。
なお、ここでいう「複数回」とは、連続する複数回の組み合せでもよく、不連続な複数回の組み合せでもよい。
【符号の説明】
【００５９】
１０  呼吸音検出装置
１０Ａ  呼吸音検出装置
１０Ｂ  呼吸音検出装置
１０Ｃ  呼吸音検出装置
１０Ｄ  呼吸音検出装置
１０Ｅ  呼吸音検出装置
１０Ｆ  呼吸音検出装置
１０Ｇ  呼吸音検出装置
１０Ｈ  呼吸音検出装置
２０  信号取得部
３０  制御部（特定部の一例）
３２  信号解析部
３４  呼気吸気判定部
３６  異常呼吸音判定部
３８  データ比較部
３９  記録部
４０  表示部
ＣＰ  プログラム
ＨＢ  被検者
ＭＫ  標章
ＭＫ１  標章
ＭＫ２  標章
ＭＬ  モデル
【図１】
2020116301.tif 000003
【図２】
2020116301.tif 000004
【図３】
2020116301.tif 000005
【図４】
2020116301.tif 000006
【図５】
2020116301.tif 000007
【図６】
2020116301.tif 000008
【図７】
2020116301.tif 000009
【図８】
2020116301.tif 000010
【図９】
2020116301.tif 000011
【図１０】
2020116301.tif 000012
【図１１】
2020116301.tif 000013